【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
電子デバイスによって潜在的なフレームの不安定性を軽減するための方法であって、
消失したフレームに時間的に後続する音声信号のフレームを取得することと、
前記フレームが潜在的に不安定であるかどうかを決定することと、ここにおいて、潜在的に不安定なフレームは、音声アーティファクトを発生させる危険性を示す１つまたは複数の特性を有する、
前記フレームが潜在的に不安定である場合、安定なフレームパラメータを生成するために代わりの重み付け値を適用することと、ここにおいて、前記安定なフレームパラメータは、サブフレーム線スペクトル周波数ベクトルの間のフレームの中間線スペクトル周波数ベクトルである、
を備える、方法。
【請求項２】
前記フレームの中間線スペクトル周波数ベクトルに基づいて、複数のサブフレーム線スペクトル周波数ベクトルを補間することをさらに備える、請求項１に記載の方法。
【請求項３】
現在のフレームの中間線スペクトル周波数ベクトルを生成するために、受け取られた重み付けベクトルを適用することをさらに備える、請求項１に記載の方法。
【請求項４】
前記代わりの重み付け値が０と１との間にある、請求項１に記載の方法。
【請求項５】
前記安定なフレームパラメータを生成することが、前記代わりの重み付け値を、現在のフレームの最終線スペクトル周波数ベクトルおよび以前のフレームの最終線スペクトル周波数ベクトルに適用することを備える、請求項１に記載の方法。
【請求項６】
前記安定なフレームパラメータを生成することが、現在のフレームの最終線スペクトル周波数ベクトルと前記代わりの重み付け値との積と、以前のフレームの最終線スペクトル周波数ベクトルと１および前記代わりの重み付け値の差との積とを足したものに等しい、代わりの現在のフレームの中間線スペクトル周波数ベクトルを決定することを備える、請求項１に記載の方法。
【請求項７】
前記代わりの重み付け値が、２つのフレームの分類と、前記２つのフレームの間の線スペクトル周波数の差との少なくとも１つに基づいて選択される、請求項１に記載の方法。
【請求項８】
前記フレームが潜在的に不安定であるかどうかを決定することが、現在のフレームの中間線スペクトル周波数が任意の並べ替えの前の規則に従って順序付けられているかどうかに基づく、請求項１に記載の方法。
【請求項９】
前記フレームが潜在的に不安定であるかどうかを決定することが、前記フレームが前記消失したフレームの後の閾値数のフレーム内にあるかどうかに基づく、請求項１に記載の方法。
【請求項１０】
前記フレームが潜在的に不安定であるかどうかを決定することが、前記フレームと前記消失したフレームとの間の任意のフレームが非予測的量子化を利用するかどうかに基づく、請求項１に記載の方法。
【請求項１１】
潜在的なフレームの不安定性を軽減するための電子デバイスであって、
消失したフレームに時間的に後続する音声信号のフレームを取得するフレームパラメータ決定回路と、
前記フレームパラメータ決定回路に結合される安定性決定回路と、ここにおいて、前記安定性決定回路は、前記フレームが潜在的に不安定であるかどうかを決定する、ここにおいて、潜在的に不安定なフレームは、音声アーティファクトを発生させる危険性を示す１つまたは複数の特性を有する、
前記安定性決定回路に結合される重み付け値置換回路と、ここにおいて、前記重み付け値置換回路は、前記フレームが潜在的に不安定である場合、安定なフレームパラメータを生成するために代わりの重み付け値を適用する、ここにおいて、前記安定なフレームパラメータは、サブフレーム線スペクトル周波数ベクトルの間のフレームの中間線スペクトル周波数ベクトルである、
を備える、電子デバイス。
【請求項１２】
前記フレームの中間線スペクトル周波数ベクトルに基づいて複数のサブフレーム線スペクトル周波数ベクトルを補間する補間回路をさらに備える、請求項１１に記載の電子デバイス。
【請求項１３】
前記フレームパラメータ決定回路が、現在のフレームの中間線スペクトル周波数ベクトルを生成するために、受け取られた重み付けベクトルを適用する、請求項１１に記載の電子デバイス。
【請求項１４】
前記代わりの重み付け値が０と１との間にある、請求項１１に記載の電子デバイス。
【請求項１５】
前記安定なフレームパラメータを生成することが、前記代わりの重み付け値を、現在のフレームの最終線スペクトル周波数ベクトルおよび以前のフレームの最終線スペクトル周波数ベクトルに適用することを備える、請求項１１に記載の電子デバイス。
【請求項１６】
前記安定なフレームパラメータを生成することが、現在のフレームの最終線スペクトル周波数ベクトルと前記代わりの重み付け値との積と、以前のフレームの最終線スペクトル周波数ベクトルと１および前記代わりの重み付け値の差との積とを足したものに等しい、代わりの現在のフレームの中間線スペクトル周波数ベクトルを決定することを備える、請求項１１に記載の電子デバイス。
【請求項１７】
前記代わりの重み付け値が、２つのフレームの分類と、前記２つのフレームの間の線スペクトル周波数の差との少なくとも１つに基づいて選択される、請求項１１に記載の電子デバイス。
【請求項１８】
前記フレームが潜在的に不安定であるかどうかを決定することが、現在のフレームの中間線スペクトル周波数が任意の並べ替えの前の規則に従って順序付けられているかどうかに基づく、請求項１１に記載の電子デバイス。
【請求項１９】
前記フレームが潜在的に不安定であるかどうかを決定することが、前記フレームが前記消失したフレームの後の閾値数のフレーム内にあるかどうかに基づく、請求項１１に記載の電子デバイス。
【請求項２０】
前記フレームが潜在的に不安定であるかどうかを決定することが、前記フレームと前記消失したフレームとの間の任意のフレームが非予測的量子化を利用するかどうかに基づく、請求項１１に記載の電子デバイス。
【請求項２１】
命令を有する非一時的有形コンピュータ可読媒体を備える、潜在的なフレームの不安定性を軽減するためのコンピュータプログラム製品であって、前記命令が、
電子デバイスに、消失したフレームに時間的に後続する音声信号フレームを取得させるためのコードと、前記電子デバイスに、前記フレームが潜在的に不安定かどうかを決定させるためのコードと、ここにおいて、潜在的に不安定なフレームは、音声アーティファクトを発生させる危険性を示す１つまたは複数の特性を有する、
前記電子デバイスに、前記フレームが潜在的に不安定である場合、安定なフレームパラメータを生成するために代わりの重み付け値を適用させるためのコードと、ここにおいて、前記安定なフレームパラメータは、サブフレーム線スペクトル周波数ベクトルの間のフレームの中間線スペクトル周波数ベクトルである、
を備える、コンピュータプログラム製品。
【請求項２２】
前記電子デバイスに、前記フレームの中間線スペクトル周波数ベクトルに基づいて、複数のサブフレーム線スペクトル周波数ベクトルを補間させるためのコードをさらに備える、請求項２１に記載のコンピュータプログラム製品。
【請求項２３】
前記電子デバイスに、現在のフレームの中間線スペクトル周波数ベクトルを生成するために、受け取られた重み付けベクトルを適用させるためのコードをさらに備える、請求項２１に記載のコンピュータプログラム製品。
【請求項２４】
前記代わりの重み付け値が０と１との間にある、請求項２１に記載のコンピュータプログラム製品。
【請求項２５】
前記安定なフレームパラメータを生成することが、前記代わりの重み付け値を、現在のフレームの最終線スペクトル周波数ベクトルおよび以前のフレームの最終線スペクトル周波数ベクトルに適用することを備える、請求項２１に記載のコンピュータプログラム製品。
【請求項２６】
前記安定なフレームパラメータを生成することが、現在のフレームの最終線スペクトル周波数ベクトルと前記代わりの重み付け値との積と、以前のフレームの最終線スペクトル周波数ベクトルと１および前記代わりの重み付け値の差との積とを足したものに等しい、代わりの現在のフレームの中間線スペクトル周波数ベクトルを決定することを備える、請求項２１に記載のコンピュータプログラム製品。
【請求項２７】
前記代わりの重み付け値が、２つのフレームの分類と、前記２つのフレームの間の線スペクトル周波数の差との少なくとも１つに基づいて選択される、請求項２１に記載のコンピュータプログラム製品。
【請求項２８】
前記フレームが潜在的に不安定であるかどうかを決定することが、現在のフレームの中間線スペクトル周波数が任意の並べ替えの前の規則に従って順序付けられているかどうかに基づく、請求項２１に記載のコンピュータプログラム製品。
【請求項２９】
前記フレームが潜在的に不安定であるかどうかを決定することが、前記フレームが前記消失したフレームの後の閾値数のフレーム内にあるかどうかに基づく、請求項２１に記載のコンピュータプログラム製品。
【請求項３０】
前記フレームが潜在的に不安定であるかどうかを決定することが、前記フレームと前記消失したフレームとの間の任意のフレームが非予測的量子化を利用するかどうかに基づく、請求項２１に記載のコンピュータプログラム製品。
【請求項３１】
潜在的なフレームの不安定性を軽減するための装置であって、
消失したフレームに時間的に後続する音声信号のフレームを取得するための手段と、
前記フレームが潜在的に不安定であるかどうかを決定するための手段と、ここにおいて、潜在的に不安定なフレームは、音声アーティファクトを発生させる危険性を示す１つまたは複数の特性を有する、
前記フレームが潜在的に不安定である場合、安定なフレームパラメータを生成するために代わりの重み付け値を適用するための手段と、ここにおいて、前記安定なフレームパラメータは、サブフレーム線スペクトル周波数ベクトルの間のフレームの中間線スペクトル周波数ベクトルである、
を備える、装置。
【請求項３２】
前記フレームの中間線スペクトル周波数ベクトルに基づいて、複数のサブフレーム線スペクトル周波数ベクトルを補間するための手段さらに備える、請求項３１に記載の装置。
【請求項３３】
現在のフレームの中間線スペクトル周波数ベクトルを生成するために、受け取られた重み付けベクトルを適用するための手段をさらに備える、請求項３１に記載の装置。
【請求項３４】
前記代わりの重み付け値が０と１との間にある、請求項３１に記載の装置。
【請求項３５】
前記安定なフレームパラメータを生成することが、前記代わりの重み付け値を、現在のフレームの最終線スペクトル周波数ベクトルおよび以前のフレームの最終線スペクトル周波数ベクトルに適用することを備える、請求項３１に記載の装置。
【請求項３６】
前記安定なフレームパラメータを生成することが、現在のフレームの最終線スペクトル周波数ベクトルと前記代わりの重み付け値との積と、以前のフレームの最終線スペクトル周波数ベクトルと１および前記代わりの重み付け値の差との積とを足したものに等しい、代わりの現在のフレームの中間線スペクトル周波数ベクトルを決定することを備える、請求項３１に記載の装置。
【請求項３７】
前記代わりの重み付け値が、２つのフレームの分類と、前記２つのフレームの間の線スペクトル周波数の差との少なくとも１つに基づいて選択される、請求項３１に記載の装置。
【請求項３８】
前記フレームが潜在的に不安定であるかどうかを決定することが、現在のフレームの中間線スペクトル周波数が任意の並べ替えの前の規則に従って順序付けられているかどうかに基づく、請求項３１に記載の装置。
【請求項３９】
前記フレームが潜在的に不安定であるかどうかを決定することが、前記フレームが前記消失したフレームの後の閾値数のフレーム内にあるかどうかに基づく、請求項３１に記載の装置。
【請求項４０】
前記フレームが潜在的に不安定であるかどうかを決定することが、前記フレームと前記消失したフレームとの間の任意のフレームが非予測的量子化を利用するかどうかに基づく、請求項３１に記載の装置。
【手続補正２】
【補正対象書類名】明細書
【補正対象項目名】０３１１
【補正方法】変更
【補正の内容】
【０３１１】
[00194]  請求されるものは次のとおりである。
以下に、本願出願の当初の特許請求の範囲に記載された発明を付記する。
[Ｃ１]
電子デバイスによって潜在的なフレームの不安定性を軽減するための方法であって、
消失したフレームに時間的に後続するフレームを取得することと、
前記フレームが潜在的に不安定であるかどうかを決定することと、
前記フレームが潜在的に不安定である場合、安定なフレームパラメータを生成するために代わりの重み付け値を適用することと
を備える、方法。
[Ｃ２]
前記フレームパラメータが、フレームの中間線スペクトル周波数ベクトルである、Ｃ１に記載の方法。
[Ｃ３]
現在のフレームの中間線スペクトル周波数ベクトルを生成するために、受け取られた重み付けベクトルを適用することをさらに備える、Ｃ１に記載の方法。
[Ｃ４]
前記代わりの重み付け値が０と１との間にある、Ｃ１に記載の方法。
[Ｃ５]
前記安定なフレームパラメータを生成することが、前記代わりの重み付け値を、現在のフレームの最終線スペクトル周波数ベクトルおよび以前のフレームの最終線スペクトル周波数ベクトルに適用することを備える、Ｃ１に記載の方法。
[Ｃ６]
前記安定なフレームパラメータを生成することが、現在のフレームの最終線スペクトル周波数ベクトルと前記代わりの重み付け値との積と、以前のフレームの最終線スペクトル周波数ベクトルと１および前記代わりの重み付け値の差との積とを足したものに等しい、代わりの現在のフレームの中間線スペクトル周波数ベクトルを決定することを備える、Ｃ１に記載の方法。
[Ｃ７]
前記代わりの重み付け値が、２つのフレームの分類と、前記２つのフレームの間の線スペクトル周波数の差との少なくとも１つに基づいて選択される、Ｃ１に記載の方法。
[Ｃ８]
前記フレームが潜在的に不安定であるかどうかを決定することが、現在のフレームの中間線スペクトル周波数が任意の並べ替えの前の規則に従って順序付けられているかどうかに基づく、Ｃ１に記載の方法。
[Ｃ９]
前記フレームが潜在的に不安定であるかどうかを決定することが、前記フレームが前記消失したフレームの後の閾値数のフレーム内にあるかどうかに基づく、Ｃ１に記載の方法。
[Ｃ１０]
前記フレームが潜在的に不安定であるかどうかを決定することが、前記フレームと前記消失したフレームとの間の任意のフレームが非予測的量子化を利用するかどうかに基づく、Ｃ１に記載の方法。
[Ｃ１１]
潜在的なフレームの不安定性を軽減するための電子デバイスであって、
消失したフレームに時間的に後続するフレームを取得するフレームパラメータ決定回路と、
前記フレームパラメータ決定回路に結合される安定性決定回路と、ここにおいて、前記安定性決定回路は、前記フレームが潜在的に不安定であるかどうかを決定する、
前記安定性決定回路に結合される重み付け値置換回路と、ここにおいて、前記重み付け値置換回路は、前記フレームが潜在的に不安定である場合、安定なフレームパラメータを生成するために代わりの重み付け値を適用する、
を備える、電子デバイス。
[Ｃ１２]
前記フレームパラメータが、フレームの中間線スペクトル周波数ベクトルである、Ｃ１１に記載の電子デバイス。
[Ｃ１３]
前記フレームパラメータ決定回路が、現在のフレームの中間線スペクトル周波数ベクトルを生成するために、受け取られた重み付けベクトルを適用する、Ｃ１１に記載の電子デバイス。
[Ｃ１４]
前記代わりの重み付け値が０と１との間にある、Ｃ１１に記載の電子デバイス。
[Ｃ１５]
前記安定なフレームパラメータを生成することが、前記代わりの重み付け値を、現在のフレームの最終線スペクトル周波数ベクトルおよび以前のフレームの最終線スペクトル周波数ベクトルに適用することを備える、Ｃ１１に記載の電子デバイス。
[Ｃ１６]
前記安定なフレームパラメータを生成することが、現在のフレームの最終線スペクトル周波数ベクトルと前記代わりの重み付け値との積と、以前のフレームの最終線スペクトル周波数ベクトルと１および前記代わりの重み付け値の差との積とを足したものに等しい、代わりの現在のフレームの中間線スペクトル周波数ベクトルを決定することを備える、Ｃ１１に記載の電子デバイス。
[Ｃ１７]
前記代わりの重み付け値が、２つのフレームの分類と、前記２つのフレームの間の線スペクトル周波数の差との少なくとも１つに基づいて選択される、Ｃ１１に記載の電子デバイス。
[Ｃ１８]
前記フレームが潜在的に不安定であるかどうかを決定することが、現在のフレームの中間線スペクトル周波数が任意の並べ替えの前の規則に従って順序付けられているかどうかに基づく、Ｃ１１に記載の電子デバイス。
[Ｃ１９]
前記フレームが潜在的に不安定であるかどうかを決定することが、前記フレームが前記消失したフレームの後の閾値数のフレーム内にあるかどうかに基づく、Ｃ１１に記載の電子デバイス。
[Ｃ２０]
前記フレームが潜在的に不安定であるかどうかを決定することが、前記フレームと前記消失したフレームとの間の任意のフレームが非予測的量子化を利用するかどうかに基づく、Ｃ１１に記載の電子デバイス。
[Ｃ２１]
命令を有する非一時的有形コンピュータ可読媒体を備える、潜在的なフレームの不安定性を軽減するためのコンピュータプログラム製品であって、前記命令が、
電子デバイスに、消失したフレームに時間的に後続するフレームを取得させるためのコードと、
前記電子デバイスに、前記フレームが潜在的に不安定かどうかを決定させるためのコードと、
前記電子デバイスに、前記フレームが潜在的に不安定である場合、安定なフレームパラメータを生成するために代わりの重み付け値を適用させるためのコードと
を備える、コンピュータプログラム製品。
[Ｃ２２]
前記フレームパラメータが、フレームの中間線スペクトル周波数ベクトルである、Ｃ２１に記載のコンピュータプログラム製品。
[Ｃ２３]
前記電子デバイスに、現在のフレームの中間線スペクトル周波数ベクトルを生成するために、受け取られた重み付けベクトルを適用させるためのコードをさらに備える、Ｃ２１に記載のコンピュータプログラム製品。
[Ｃ２４]
前記代わりの重み付け値が０と１との間にある、Ｃ２１に記載のコンピュータプログラム製品。
[Ｃ２５]
前記安定なフレームパラメータを生成することが、前記代わりの重み付け値を、現在のフレームの最終線スペクトル周波数ベクトルおよび以前のフレームの最終線スペクトル周波数ベクトルに適用することを備える、Ｃ２１に記載のコンピュータプログラム製品。
[Ｃ２６]
前記安定なフレームパラメータを生成することが、現在のフレームの最終線スペクトル周波数ベクトルと前記代わりの重み付け値との積と、以前のフレームの最終線スペクトル周波数ベクトルと１および前記代わりの重み付け値の差との積とを足したものに等しい、代わりの現在のフレームの中間線スペクトル周波数ベクトルを決定することを備える、Ｃ２１に記載のコンピュータプログラム製品。
[Ｃ２７]
前記代わりの重み付け値が、２つのフレームの分類と、前記２つのフレームの間の線スペクトル周波数の差との少なくとも１つに基づいて選択される、Ｃ２１に記載のコンピュータプログラム製品。
[Ｃ２８]
前記フレームが潜在的に不安定であるかどうかを決定することが、現在のフレームの中間線スペクトル周波数が任意の並べ替えの前の規則に従って順序付けられているかどうかに基づく、Ｃ２１に記載のコンピュータプログラム製品。
[Ｃ２９]
前記フレームが潜在的に不安定であるかどうかを決定することが、前記フレームが前記消失したフレームの後の閾値数のフレーム内にあるかどうかに基づく、Ｃ２１に記載のコンピュータプログラム製品。
[Ｃ３０]
前記フレームが潜在的に不安定であるかどうかを決定することが、前記フレームと前記消失したフレームとの間の任意のフレームが非予測的量子化を利用するかどうかに基づく、Ｃ２１に記載のコンピュータプログラム製品。
[Ｃ３１]
潜在的なフレームの不安定性を軽減するための装置であって、
消失したフレームに時間的に後続するフレームを取得するための手段と、
前記フレームが潜在的に不安定であるかどうかを決定するための手段と、
前記フレームが潜在的に不安定である場合、安定なフレームパラメータを生成するために代わりの重み付け値を適用するための手段と
を備える、装置。
[Ｃ３２]
前記フレームパラメータが、フレームの中間線スペクトル周波数ベクトルである、Ｃ３１に記載の装置。
[Ｃ３３]
現在のフレームの中間線スペクトル周波数ベクトルを生成するために、受け取られた重み付けベクトルを適用するための手段をさらに備える、Ｃ３１に記載の装置。
[Ｃ３４]
前記代わりの重み付け値が０と１との間にある、Ｃ３１に記載の装置。
[Ｃ３５]
前記安定なフレームパラメータを生成することが、前記代わりの重み付け値を、現在のフレームの最終線スペクトル周波数ベクトルおよび以前のフレームの最終線スペクトル周波数ベクトルに適用することを備える、Ｃ３１に記載の装置。
[Ｃ３６]
前記安定なフレームパラメータを生成することが、現在のフレームの最終線スペクトル周波数ベクトルと前記代わりの重み付け値との積と、以前のフレームの最終線スペクトル周波数ベクトルと１および前記代わりの重み付け値の差との積とを足したものに等しい、代わりの現在のフレームの中間線スペクトル周波数ベクトルを決定することを備える、Ｃ３１に記載の装置。
[Ｃ３７]
前記代わりの重み付け値が、２つのフレームの分類と、前記２つのフレームの間の線スペクトル周波数の差との少なくとも１つに基づいて選択される、Ｃ３１に記載の装置。
[Ｃ３８]
前記フレームが潜在的に不安定であるかどうかを決定することが、現在のフレームの中間線スペクトル周波数が任意の並べ替えの前の規則に従って順序付けられているかどうかに基づく、Ｃ３１に記載の装置。
[Ｃ３９]
前記フレームが潜在的に不安定であるかどうかを決定することが、前記フレームが前記消失したフレームの後の閾値数のフレーム内にあるかどうかに基づく、Ｃ３１に記載の装置。
[Ｃ４０]
前記フレームが潜在的に不安定であるかどうかを決定することが、前記フレームと前記消失したフレームとの間の任意のフレームが非予測的量子化を利用するかどうかに基づく、Ｃ３１に記載の装置。